(57)【要約】【課題】  ＰＯＮドメインによってネットワーク構成を平易なものにし、ＭＡＣアドレスを大量に消費することなく、論理的にＰＯＮを拡張可能な通信システムを提供する。【解決手段】  ＯＮＵ１ａ〜１ｃのＰＯＮポート１２ａ〜１２ｃからフレームを受信する場合、ＯＬＴ３は受信したイーサネット（登録商標）フレームのＰｒｅａｍｂｌｅ／ＳＦＤ領域Ａに含まれるＶＰＩＤと、ＯＮＵ１ａ〜１ｃに割り当てられたＶＰＩＤとを比較し、一致する場合、ＰＯＮ  ＭＡＣ処理に入る。ＯＬＴ３のＰＯＮポート３３からフレームを受信する場合、ＯＮＵ１ａ〜１ｃは受信したイーサネット（登録商標）フレームのＰｒｅａｍｂｌｅ／ＳＦＤ領域に含まれるＶＰＩＤと、ＯＬＴ３のＬＡＮポート３１，３２に割り当てられたＶＰＩＤとを比較し、一致する場合、ＰＯＮ  ＭＡＣ処理に入る。【選択図】      図１
2008227985.tif 000002
【特許請求の範囲】
【請求項１】
ＬＡＮ（Ｌｏｃａｌ  Ａｒｅａ  Ｎｅｔｗｏｒｋ）ポート及びＰＯＮ（Ｐａｓｓｉｖｅ  Ｏｐｔｉｃａｌ  Ｎｅｔｗｏｒｋ）ポートからなる加入者側の終端装置と、複数のＬＡＮポート及びＰＯＮポートからなる局側の終端装置とにおいて、前記加入者側の終端装置及び前記局側の終端装置各々のＰＯＮポートを光ファイバで接続する通信システムであって、
一つの物理ＰＯＮを仮想的に分割してネットワークを構成することを特徴とする通信システム。
【請求項２】
前記加入者側の終端装置及び前記局側の終端装置各々に、仮想のＰＯＮを識別するＶＰＩＤ（Ｖｉｒｔｕａｌ  ＰＯＮ  Ｉｄｅｎｔｉｆｉｅｒ）と前記ＬＡＮポートまたは装置との対応を保持するＶＰＩＤテーブルを含み、
前記ＶＰＩＤが一致するポート群を一つのＰＯＮドメインとみなし、
ＬＡＮフレームのＰｒｅａｍｂｌｅ／ＳＦＤ（Ｓｔａｒｔ  Ｆｒａｍｅ  Ｄｅｌｉｍｉｔｅｒ）領域に前記ＰＯＮドメインを識別するためのＶＰＩＤを埋め込み、前記ＶＰＩＤにて論理的にネットワークを構成することを特徴とする請求項１記載の通信システム。
【請求項３】
前記ＶＰＩＤテーブルに、前記加入者側の終端装置のポート単位で前記ＶＰＩＤを保持することを特徴とする請求項２記載の通信システム。
【請求項４】
前記ＶＰＩＤテーブルに、ＶＬＡＮ（Ｖｉｒｔｕａｌ  Ｌｏｃａｌ  Ａｒｅａ  Ｎｅｔｗｏｒｋ）単位で前記ＶＰＩＤを保持することを特徴とする請求項２記載の通信システム。
【請求項５】
前記ＰＯＮドメインを動的に変更することを特徴とする請求項２から請求項４のいずれか記載の通信システム。
【請求項６】
ＬＡＮ（Ｌｏｃａｌ  Ａｒｅａ  Ｎｅｔｗｏｒｋ）ポート及びＰＯＮ（Ｐａｓｓｉｖｅ  Ｏｐｔｉｃａｌ  Ｎｅｔｗｏｒｋ）ポートからなる加入者側の終端装置と、複数のＬＡＮポート及びＰＯＮポートからなる局側の終端装置とにおいて、前記加入者側の終端装置及び前記局側の終端装置各々のＰＯＮポートを光ファイバで接続する通信システムを構成する終端装置であって、
仮想のＰＯＮを識別するＶＰＩＤ（Ｖｉｒｔｕａｌ  ＰＯＮ  Ｉｄｅｎｔｉｆｉｅｒ）と前記ＬＡＮポートまたは装置との対応を保持するＶＰＩＤテーブルを有し、
前記ＶＰＩＤが一致するポート群を一つのＰＯＮドメインとみなし、
ＬＡＮフレームのＰｒｅａｍｂｌｅ／ＳＦＤ（Ｓｔａｒｔ  Ｆｒａｍｅ  Ｄｅｌｉｍｉｔｅｒ）領域に前記ＰＯＮドメインを識別するためのＶＰＩＤを埋め込み、前記ＶＰＩＤにて論理的にネットワークを構成することを特徴とする終端装置。
【請求項７】
前記ＶＰＩＤテーブルに、前記加入者側の終端装置のポート単位で前記ＶＰＩＤを保持することを特徴とする請求項６記載の終端装置。
【請求項８】
前記ＶＰＩＤテーブルに、ＶＬＡＮ（Ｖｉｒｔｕａｌ  Ｌｏｃａｌ  Ａｒｅａ  Ｎｅｔｗｏｒｋ）単位で前記ＶＰＩＤを保持することを特徴とする請求項６記載の終端装置。
【請求項９】
前記ＰＯＮドメインを動的に変更することを特徴とする請求項６から請求項８のいずれか記載の終端装置。
【請求項１０】
ＬＡＮ（Ｌｏｃａｌ  Ａｒｅａ  Ｎｅｔｗｏｒｋ）ポート及びＰＯＮ（Ｐａｓｓｉｖｅ  Ｏｐｔｉｃａｌ  Ｎｅｔｗｏｒｋ）ポートからなる加入者側の終端装置と、複数のＬＡＮポート及びＰＯＮポートからなる局側の終端装置とにおいて、前記加入者側の終端装置及び前記局側の終端装置各々のＰＯＮポートを光ファイバで接続する通信システムに用いるＥＰＯＮ仮想化方法であって、
一つの物理ＰＯＮを仮想的に分割してネットワークを構成することを特徴とするＥＰＯＮ仮想化方法。
【請求項１１】
前記加入者側の終端装置及び前記局側の終端装置各々に、仮想のＰＯＮを識別するＶＰＩＤ（Ｖｉｒｔｕａｌ  ＰＯＮ  Ｉｄｅｎｔｉｆｉｅｒ）と前記ＬＡＮポートまたは装置との対応を保持するＶＰＩＤテーブルを設け、
前記ＶＰＩＤが一致するポート群を一つのＰＯＮドメインとみなし、
ＬＡＮフレームのＰｒｅａｍｂｌｅ／ＳＦＤ（Ｓｔａｒｔ  Ｆｒａｍｅ  Ｄｅｌｉｍｉｔｅｒ）領域に前記ＰＯＮドメインを識別するためのＶＰＩＤを埋め込み、前記ＶＰＩＤにて論理的にネットワークを構成することを特徴とする請求項１０記載のＥＰＯＮ仮想化方法。
【請求項１２】
前記ＶＰＩＤテーブルに、前記加入者側の終端装置のポート単位で前記ＶＰＩＤを保持することを特徴とする請求項１１記載のＥＰＯＮ仮想化方法。
【請求項１３】
前記ＶＰＩＤテーブルに、ＶＬＡＮ（Ｖｉｒｔｕａｌ  Ｌｏｃａｌ  Ａｒｅａ  Ｎｅｔｗｏｒｋ）単位で前記ＶＰＩＤを保持することを特徴とする請求項１１記載のＥＰＯＮ仮想化方法。
【請求項１４】
前記ＰＯＮドメインを動的に変更することを特徴とする請求項１１から請求項１３のいずれか記載のＰＯＮ仮想化方法。
【発明の詳細な説明】
【技術分野】
【０００１】
本発明は通信システム、終端装置及びそれらに用いるＰＯＮ仮想化方法に関し、特にＰＯＮ（Ｐａｓｓｉｖｅ  Ｏｐｔｉｃａｌ  Ｎｅｔｗｏｒｋ）における仮想化に関する
【背景技術】
【０００２】
ＥＰＯＮ［Ｅｔｈｅｒｎｅｔ（登録商標）  Ｐａｓｓｉｖｅ  Ｏｐｔｉｃａｌ  Ｎｅｔｗｏｒｋ］における典型的なネットワークの構成を図１５に示す。ＯＮＵ（Ｏｐｔｉｃａｌ  Ｎｅｔｗｏｒｋ  Ｕｎｉｔ：加入者側の終端装置）４ａ〜４ｃは、それぞれイーサネット（登録商標）ポート４１ａ〜４１ｃ及びＰＯＮポート４２ａ〜４２ｃからなる。尚、ＥＰＯＮ｛またはＧＥＰＯＮ［Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ］｝については、下記の特許文献１，２に開示されている。
【０００３】
ＯＬＴ（Ｏｐｔｉｃａｌ  Ｌｉｎｅ  Ｔｅｒｍｉｎａｌ：局側の終端装置）６は複数のシーサネット（登録商標）ポート６１，６２及びＰＯＮポート６３からなる。ＯＬＴ６及びＯＮＵ４ａ〜４ｃのＰＯＮポート６３，４２ａ〜４２ｃは光カプラ５を介して光ファイバでスター型に接続されている。
【０００４】
一般に、ＥＰＯＮ装置はイーサネット（登録商標）ポートを持つレイヤ２スイッチ（Ｌａｙｅｒ２  Ｓｗｉｔｃｈ）あるいはルータを模して作られる。実際には、ＰＯＮが物理的に１ポートでありながら、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）  ８０２．３（ｃｌａｕｓｅ  ６５）にて規定されるＬＬＩＤ（Ｌｏｇｉｃａｌ  Ｌｉｎｋ  Ｉｄｅｎｔｉｆｉｃａｔｉｏｎ：論理リンク識別子）によって、論理的にポートを分割している。
【０００５】
このＬＬＩＤはＯＮＵのＭＡＣ（Ｍｅｄｉａ  Ａｃｃｅｓｓ  Ｃｏｎｔｒｏｌ）アドレスと１対１に対応しており、それゆえ、論理ポートが増えるたびにＭＡＣアドレスを消費する。すなわち、８つのＬＬＩＤをサポートするＯＮＵであれば、１台につき８つのＭＡＣアドレスを消費するため、ＭＡＣアドレスの枯渇が懸念される。
【０００６】
【特許文献１】特開２００６−３５２３５０号公報
【特許文献２】特開２００６−１０９５００号公報
【発明の開示】
【発明が解決しようとする課題】
【０００７】
上述した従来の通信システムでは、ＩＥＥＥ  ８０２．３に準拠してＰＯＮを構築する際にＬＬＩＤを使用しており、このＬＬＩＤがＯＮＵのＭＡＣアドレスと１対１に対応するため、ＯＮＵあたりのＬＬＩＤ数が増える場合に、大きくＭＡＣアドレスを消費するという課題がある。
【０００８】
そこで、本発明の目的は上記の問題点を解消し、ＰＯＮドメインによってネットワーク構成を平易なものにし、ＭＡＣアドレスを大量に消費することなく、論理的にＰＯＮを拡張することができる通信システム、終端装置及びそれらに用いるＰＯＮ仮想化方法を提供することにある。
【課題を解決するための手段】
【０００９】
本発明による通信システムは、ＬＡＮ（Ｌｏｃａｌ  Ａｒｅａ  Ｎｅｔｗｏｒｋ）ポート及びＰＯＮ（Ｐａｓｓｉｖｅ  Ｏｐｔｉｃａｌ  Ｎｅｔｗｏｒｋ）ポートからなる加入者側の終端装置と、複数のＬＡＮポート及びＰＯＮポートからなる局側の終端装置とにおいて、前記加入者側の終端装置及び前記局側の終端装置各々のＰＯＮポートを光ファイバで接続する通信システムであって、
一つの物理ＰＯＮを仮想的に分割してネットワークを構成している。
【００１０】
本発明による終端装置は、ＬＡＮ（Ｌｏｃａｌ  Ａｒｅａ  Ｎｅｔｗｏｒｋ）ポート及びＰＯＮ（Ｐａｓｓｉｖｅ  Ｏｐｔｉｃａｌ  Ｎｅｔｗｏｒｋ）ポートからなる加入者側の終端装置と、複数のＬＡＮポート及びＰＯＮポートからなる局側の終端装置とにおいて、前記加入者側の終端装置及び前記局側の終端装置各々のＰＯＮポートを光ファイバで接続する通信システムを構成する終端装置であって、
仮想のＰＯＮを識別するＶＰＩＤ（Ｖｉｒｔｕａｌ  ＰＯＮ  Ｉｄｅｎｔｉｆｉｅｒ）と前記ＬＡＮポートまたは装置との対応を保持するＶＰＩＤテーブルを備え、
前記ＶＰＩＤが一致するポート群を一つのＰＯＮドメインとみなし、
ＬＡＮフレームのＰｒｅａｍｂｌｅ／ＳＦＤ（Ｓｔａｒｔ  Ｆｒａｍｅ  Ｄｅｌｉｍｉｔｅｒ）領域に前記ＰＯＮドメインを識別するためのＶＰＩＤを埋め込み、前記ＶＰＩＤにて論理的にネットワークを構成している。
【００１１】
本発明によるＰＯＮ仮想化方法は、ＬＡＮ（Ｌｏｃａｌ  Ａｒｅａ  Ｎｅｔｗｏｒｋ）ポート及びＰＯＮ（Ｐａｓｓｉｖｅ  Ｏｐｔｉｃａｌ  Ｎｅｔｗｏｒｋ）ポートからなる加入者側の終端装置と、複数のＬＡＮポート及びＰＯＮポートからなる局側の終端装置とにおいて、前記加入者側の終端装置及び前記局側の終端装置各々のＰＯＮポートを光ファイバで接続する通信システムに用いるＥＰＯＮ仮想化方法であって、
一つの物理ＰＯＮを仮想的に分割してネットワークを構成している。
【００１２】
すなわち、本発明の通信システムは、ＥＰＯＮ［Ｅｔｈｅｒｎｅｔ（登録商標）  Ｐａｓｓｉｖｅ  Ｏｐｔｉｃａｌ  Ｎｅｔｗｏｒｋ］における典型的なネットワーク構成において、ＰＯＮ（Ｐａｓｓｉｖｅ  Ｏｐｔｉｃａｌ  Ｎｅｔｗｏｒｋ）ドメインによってネットワーク構成を平易なものにし、ＭＡＣ（Ｍｅｄｉａ  Ａｃｃｅｓｓ  Ｃｏｎｔｒｏｌ）アドレスを大量に消費することなく、論理的にＰＯＮを拡張することを特徴としている。
【００１３】
本発明の通信システムでは、イーサネット（登録商標）フレームのＰｒｅａｍｂｌｅ／ＳＦＤ（Ｓｔａｒｔ  Ｆｒａｍｅ  Ｄｅｌｉｍｉｔｅｒ）領域の第４，第５バイト目にＰＯＮドメインを識別するための識別子を埋め込み、本識別子によって論理的にネットワークを構成し、それ以外については、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）  ８０２．３準拠のＬＬＩＤ（Ｌｏｇｉｃａｌ  Ｌｉｎｋ  Ｉｄｅｎｔｉｆｉｃａｔｉｏｎ：論理リンク識別子）をそのまま使用する。
【００１４】
本発明の通信システムは、それぞれイーサネット（登録商標）ポート及びＰＯＮポートからなるＯＮＵ（Ｏｐｔｉｃａｌ  Ｎｅｔｗｏｒｋ  Ｕｎｉｔ：加入者側の終端装置）と、複数のイーサネット（登録商標）ポート及びＰＯＮポートからなるＯＬＴ（Ｏｐｔｉｃａｌ  Ｌｉｎｅ  Ｔｅｒｍｉｎａｌ：局側の終端装置）とを含み、ＯＬＴ及びＯＮＵ各々のＰＯＮポートを、光カプラを介して光ファイバでスター型に接続している。
【００１５】
ＯＬＴ及びＯＮＵ各々は、仮想のＰＯＮを識別するＶＰＩＤ（Ｖｉｒｔｕａｌ  ＰＯＮ  Ｉｄｅｎｔｉｆｉｅｒ）とイーサネット（登録商標）ポートまたは装置との対応であるＶＰＩＤテーブルを備えている。この場合、ＶＰＩＤが一致するポート群を一つのＰＯＮドメインとみなす。
【００１６】
本発明の通信システムでは、一つの物理ＰＯＮを仮想的に分割することによって、ネットワークの柔軟な設計が可能となるだけでなく、ＭＡＣアドレスを大きく消費することなく、サービス単位のネットワーク設計を１つのＰＯＮ装置で可能としている。
【００１７】
上記のように、本発明の通信システムでは、ＰＯＮドメインという概念を導入し、各ＰＯＮドメインをＶＰＩＤによって識別することで、ＰＯＮドメインによってネットワーク構成を平易なものにし、ＭＡＣアドレスを大量に消費することなく、論理的にＰＯＮを拡張することが可能となる。
【発明の効果】
【００１８】
本発明は、上記のような構成及び動作とすることで、ＰＯＮドメインによってネットワーク構成を平易なものにし、ＭＡＣアドレスを大量に消費することなく、論理的にＰＯＮを拡張することができるという効果が得られる。
【発明を実施するための最良の形態】
【００１９】
次に、本発明の実施例について図面を参照して説明する。
【実施例１】
【００２０】
図１は本発明の第１の実施例による通信システムのネットワーク構成を示すブロック図である。図１において、本発明の第１の実施例による通信システムは、それぞれＬＡＮ（Ｌｏｃａｌ  Ａｒｅａ  Ｎｅｔｗｏｒｋ）ポート［例えば、イーサネット（登録商標）ポート］１１ａ〜１１ｃ及びＰＯＮ（Ｐａｓｓｉｖｅ  Ｏｐｔｉｃａｌ  Ｎｅｔｗｏｒｋ）ポート１２ａ〜１２ｃからなる（Ｏｐｔｉｃａｌ  Ｎｅｔｗｏｒｋ  Ｕｎｉｔ：加入者側の終端装置）１ａ〜１ｃと、複数のＬＡＮポート３１，３２及びＰＯＮポート３３からなる（Ｏｐｔｉｃａｌ  Ｌｉｎｅ  Ｔｅｒｍｉｎａｌ：局側の終端装置）３とにおいて、ＰＯＮポート１２ａ〜１２ｃ，３３を、光カプラ２を介して光ファイバでスター型に接続して構成されている。
【００２１】
図２（ａ）〜（ｄ）は図１に示すＯＮＵ１ａ〜１ｃ及びＯＬＴ３のＶＰＩＤ（Ｖｉｒｔｕａｌ  ＰＯＮ  Ｉｄｅｎｔｉｆｉｅｒ）テーブルの構成例を示す図である。図２（ａ）〜（ｄ）に示すＶＰＩＤテーブルには、仮想のＰＯＮを識別するＶＰＩＤとＬＡＮポートまたは装置との対応が格納されている。ここで、ＶＰＩＤテーブルに格納されたＶＰＩＤが一致するポート群を一つのＰＯＮドメインとみなす。
【００２２】
つまり、図１において、ＬＡＮポート１１ａ，１１ｂ，３１がＶＰＩＤ「０ｘ５５５５」で識別されるＰＯＮドメイン（ドメインＡ）に従属しており、ＬＡＮポート１１ｃ，３２がＶＰＩＤ「０ｘ５５５４」で識別されるＰＯＮドメイン（ドメインＢ）に従属している。
【００２３】
尚、図２（ａ）はＯＮＵ１ａのＶＰＩＤテーブルの構成例を示し、図２（ｂ）はＯＮＵ１ｂのＶＰＩＤテーブルの構成例を示し、図２（ｃ）はＯＮＵ１ｃのＶＰＩＤテーブルの構成例を示し、図２（ｄ）はＯＬＴ３のＶＰＩＤテーブルの構成例を示している。
【００２４】
図３は本発明の第１の実施例によるイーサネット（登録商標）フレームのＰｒｅａｍｂｌｅ／ＳＦＤ（Ｓｔａｒｔ  Ｆｒａｍｅ  Ｄｅｌｉｍｉｔｅｒ）領域を示す図である。
【００２５】
本実施例では、ＶＰＩＤによってＰＯＮを識別するために、ＯＮＵ１ａ〜１ｃから受信したフレームが属しているＶＰＩＤを、ＯＬＴ３が認識できなければならない。また、ＯＮＵ１ａ〜１ｃについても、上記と同様である。
【００２６】
そのために、ＶＰＩＤを認識する方法としては、ＰＯＮ区間でやりとりされるイーサネット（登録商標）フレームにおいて、図３に示すように、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）  ８０２．３（ｃｌａｕｓｅ  ６５）で定義されるＰｒｅａｍｂｌｅ／ＳＦＤ領域Ａの第４，第５バイト（太線枠で囲んだ部分）をＶＰＩＤで置き換えている。
【００２７】
ＩＥＥＥ標準にしたがえば、本領域は２バイト「０ｘ５５５５」で固定であり、この場合のＶＰＩＤは「０ｘ５５５５」となる。ＯＬＴ３とＯＮＵ１ａ〜１ｃとは、それぞれＶＰＩＤを割り当て可能とする。
【００２８】
ＯＬＴ３及びＯＮＵ１ａ〜１ｃは設定にしたがって、Ｐｒｅａｍｂｌｅ／ＳＦＤ領域Ａを置き換えたフレームを送受信する。そのため、ＯＬＴ３及びＯＮＵ１ａ〜１ｃはＰＯＮポート３３，１２ａ〜１２ｃでフレームを受信または送信する時に、次に示す処理が施される。
【００２９】
図４及び図７は図１のＯＬＴ３の処理動作を示すフローチャートであり、図５及び図６は図１のＯＮＵ１ａ〜１ｃの処理動作を示すフローチャートである。これら図１〜図７を参照して本発明の第１の実施例による通信システムの動作について説明する。
【００３０】
ＯＮＵ１ａ〜１ｃのＰＯＮポート１２ａ〜１２ｃからフレームを受信する場合、ＯＬＴ３は受信したイーサネット（登録商標）フレームのＰｒｅａｍｂｌｅ／ＳＦＤ領域Ａに含まれるＶＰＩＤと、ＯＮＵ１ａ〜１ｃに割り当てられたＶＰＩＤとを比較し（図４ステップＳ１）、一致しない場合、このイーサネット（登録商標）フレームを廃棄する（図４ステップＳ３）。
【００３１】
ＯＬＴ３は、それらのＶＰＩＤが一致する場合、このイーサネット（登録商標）フレームを廃棄せず、ＬＬＩＤ（Ｌｏｇｉｃａｌ  Ｌｉｎｋ  Ｉｄｅｎｔｉｆｉｃａｔｉｏｎ：論理リンク識別子）のチェック等、ＩＥＥＥ  ８０２．３のＰＯＮ  ＭＡＣ処理に入る（図４ステップＳ２）。
【００３２】
ＯＮＵ１ａ〜１ｃは、ＰＯＮポート１２ａ〜１２ｃからフレームを送信する場合、ＩＥＥＥ  ８０２．３のＰＯＮ  ＭＡＣ処理の後、Ｐｒｅａｍｂｌｅ／ＳＦＤ領域Ａを構成する段階において、「０ｘ５５５５」の代わりに割り当てられたＶＰＩＤを設定する（図５ステップＳ１１）。
【００３３】
ＯＬＴ３のＰＯＮポート３３からフレームを受信する場合、ＯＮＵ１ａ〜１ｃは受信したイーサネット（登録商標）フレームのＰｒｅａｍｂｌｅ／ＳＦＤ領域に含まれるＶＰＩＤと、ＯＬＴ３のＬＡＮポート３１，３２に割り当てられたＶＰＩＤとを比較し（図６ステップＳ２１）、これらのＶＰＩＤが一致しない場合、このイーサネット（登録商標）フレームを廃棄する（図６ステップＳ２３）。
【００３４】
ＯＮＵ１ａ〜１ｃは、これらのＶＰＩＤが一致する場合、このイーサネット（登録商標）を廃棄せず、ＬＬＩＤのチェック等、ＩＥＥＥ  ８０２．３のＰＯＮ  ＭＡＣ処理に入る（図６ステップＳ２２）。ＬＡＮポート１１ａ〜１１ｃ側へ転送される場合には、同一ＶＰＩＤが割り当てられたポートへのみ転送される。
【００３５】
ＯＬＴ３は、ＰＯＮポート３３からフレームを送信する場合（図７ステップＳ３４）、ＩＥＥＥ  ８０２．３のＰＯＮ  ＭＡＣ処理の後、Ｐｒｅａｍｂｌｅ／ＳＦＤ領域Ａを構成する段階において、「０ｘ５５５５」の代わりに、割り当てられたＶＰＩＤを設定する（図７ステップＳ３６）。
【００３６】
ＶＰＩＤについては、本フレームをＬＡＮポート３１，３２から受信した場合（図７ステップＳ３１）、ＯＬＴ３のＬＡＮポート３１，３２単位で割り当てられているＶＰＩＤとし（図７ステップＳ３２）、本フレームをＰＯＮポート３３から受信した場合（図７ステップＳ３１）、ＰＯＮポート３３で受信した時のＶＰＩＤとする（図７ステップＳ３３）。
【００３７】
尚、ＯＬＴ３は、ＬＡＮポート３１，３２からフレームを送信する場合（図７ステップＳ３４）、ＶＰＩＤがＶＰＩＤテーブルの値と一致するポートにのみ送信する（図７ステップＳ３５）。
【００３８】
このように、本実施例では、ネットワーク設計に柔軟性の向上を図ることができる。例えば、複数の仮想的なＥＰＯＮ［Ｅｔｈｅｒｎｅｔ（登録商標）  Ｐａｓｓｉｖｅ  Ｏｐｔｉｃａｌ  Ｎｅｔｗｏｒｋ］システムを電話／インタネット等のサービス単位や、ＩＳＰ（Ｉｎｔｅｒｎｅｔ  Ｓｅｒｖｉｃｅ  Ｐｒｏｖｉｄｅｒ）単位に分離することができる。
【００３９】
従来のＥＰＯＮでは、論理的なネットワーク設計をＬＬＩＤによって行うが、ＬＬＩＤはＰＯＮ内の論理リンク識別に使用されるため、実際にネットワークとして機能するにはＬＬＩＤを含めた別の概念が必要となる。典型的な例としては、ＶＬＡＮ（Ｖｉｒｔｕａｌ  Ｌｏｃａｌ  Ａｒｅａ  Ｎｅｔｗｏｒｋ）やＭＡＣアドレスと、ＬＬＩＤとが対応付けられたテーブルを持つ等である。
【００４０】
本実施例によるＥＰＯＮ仮想化方法では、上記のような典型的なＬＬＩＤによるＥＰＯＮシステムを、ＶＰＩＤの数だけ持つことが可能であるため、ＶＰＩＤをサービス単位に分割し、その上で、従来の典型的なＥＰＯＮシステムが動作可能である。
【００４１】
よって、本実施例では、ＰＯＮドメインによってネットワーク構成を平易なものにし、ＭＡＣアドレスを大量に消費することなく、論理的にＰＯＮを拡張することができる。
【実施例２】
【００４２】
図８は本発明の第２の実施例によるＯＮＵのＶＰＩＤテーブルの構成例を示す図である。図８において、本発明の第２の実施例では、ＯＮＵのポートが複数の場合、ポートとＶＰＩＤとを関連付けて複数のＰＯＮドメインを持たせることができるので、ＶＰＩＤテーブルにポート単位でＶＰＩＤ値を保持している。
【００４３】
尚、本発明の第２の実施例は、ＯＮＵのポートが複数で、ＶＰＩＤテーブルにポート単位でＶＰＩＤ値を保持する以外は、上述した本発明の第１の実施例と同様の構成及び動作となっている。
【００４４】
つまり、本発明の第２の実施例によるＯＮＵのフレーム処理はＯＬＴと同じ方式である。ＯＮＵが単一ＬＡＮポートであっても、フレーム内部［ＴＣＰ（Ｔｒａｎｓｍｉｓｓｉｏｎ  Ｃｏｎｔｒｏｌ  Ｐｒｏｔｏｃｏｌ）ポート番号等］をのぞき見る等して、なんらかの振り分け方式によってＶＰＩＤを選べる場合、同様に実施可能である。
【００４５】
図９は本発明の第２の実施例によるＯＬＴの管理用テーブルの構成例を示す図である。図９において、本発明の第２の実施例では、ＯＬＴにおいて、ＯＮＵ内のそれぞれのＬＬＩＤをＶＰＩＤ単位で管理している。すなわち、ＯＬＴはＰＯＮドメイン毎にＬＬＩＤを管理するため、図９に示すような管理用テーブルを持つ。図９に示す管理用テーブルでは、ＰＯＮドメイン「０ｘ５５５５」においてＯＮＵ１が２つ、ＯＮＵ２が１つのＬＬＩＤを確立しており、ＰＯＮドメイン「０ｘ５５５４」においてＯＮＵ１、ＯＮＵ２がそれぞれ１つのＬＬＩＤを確立している場合を示している。
【００４６】
このように、本実施例では、ＭＡＣアドレスを節約することができる。ＩＥＥＥ  ８０２．３（ｃｌａｕｓｅ  ６４）ではＬＬＩＤとＯＮＵのＭＡＣアドレスとが１対１に対応する。すなわち、これは、ＯＮＵで複数のＬＬＩＤを確立する際に、ＬＬＩＤの数だけＭＡＣアドレスを消費するということである。
【００４７】
図１０及び図１１は本発明の第２の実施例の効果を説明するための図である。図１０はＯＮＵ１ａがＯＬＴ３と、ＬＬＩＤ２つで接続された状態を示しており、ＬＬＩＤ１１１ａはＭＡＣ＿ａによって識別され、ＬＬＩＤ１１１ｂはＭＡＣ＿ｂによって識別される。従来の方式であれば、ＬＬＩＤが増えるたびにＭＡＣアドレスの割り当てが必要である。
【００４８】
これに対し、図１１に示すように、本実施例では、ＯＮＵ１ａ単体が複数のＬＬＩＤ１１１ａ，１１１ｂを確立する時に、ＰＯＮドメイン毎に１つずつＬＬＩＤを確立することで、ＭＡＣアドレスの消費を１つにしたまま論理的にネットワークを拡張することができる。
【実施例３】
【００４９】
図１２は本発明の第３の実施例によるＯＮＵのＶＰＩＤテーブルの構成例を示す図である。図１２において、本発明の第３の実施例は、ＩＥＥＥ  ８０２．１Ｄ  ＶＬＡＮとＶＰＩＤとを対応付けており、ＶＰＩＤテーブルにＶＬＡＮ単位でＶＰＩＤ値を保持している。本発明の第３の実施例では、この点が上記の本発明の第１及び第２の実施例とは異なっている。
【００５０】
ＶＬＡＮでＶＰＩＤの値を確定した後の処理は、上記の本発明の第１及び第２の実施例と同じである。尚、ＶＬＡＮの方式には、受信ポートによるもの、タグの有無によるもの、プロトコル番号によるもの、ＩＰ（Ｉｎｔｅｒｎｅｔ  Ｐｒｏｔｏｃｏｌ）サブネットによるもの等、様々であるが、ここではＶＬＡＮの方式については問わない。
【００５１】
図１３は本発明の第３の実施例による通信システムの構成例を示す図である。図１３において、ＯＬＴ３のＬＡＮポート３１はＶＬＡＮ＃１００とＶＬＡＮ＃２００とに属し、ＶＬＡＮ＃１００の場合にＶＰＩＤ「０ｘ５５５５」、ＶＬＡＮ＃２００の場合にＶＰＩＤ「０ｘ５５５４」のＰＯＮドメインに属す。
【００５２】
ＯＮＵ１ａのＬＡＮポート１１ａはＶＬＡＮ＃１０とＶＬＡＮ＃２０とに属し、ＶＬＡＮ＃１０の場合にＶＰＩＤ「０ｘ５５５５」、ＶＬＡＮ＃２０の場合にＶＰＩＤ「０ｘ５５５４」のＰＯＮドメインに属す。結果として、ＯＬＴ３のＶＬＡＮ＃１００とＯＮＵ１ａのＶＬＡＮ＃１０、及びＯＬＴ３のＶＬＡＮ＃２００とＯＮＵ１ａのＶＬＡＮ＃２０が同一ＰＯＮドメインに属す。
【００５３】
このように、本実施例では、ＶＬＡＮに対応することで、ＥＰＯＮネットワークの構成を容易にすることができる。ＶＬＡＮは、一般に、レイヤ２スイッチ（Ｌａｙｅｒ２  Ｓｗｉｔｃｈ）に備わっている機能であり、またレイヤ２スイッチはネットワークを構築する上で、高い頻度で使用される装置である。そのため、本実施例では、ＥＰＯＮネットワークの構成を容易にすることができる。
【実施例４】
【００５４】
図１４は本発明の第４の実施例による通信システムの動作を示すシーケンスチャートである。この図１４を参照して本発明の第４の実施例による通信システムの動作について説明する。尚、本実施例では、ＰＯＮドメインを動的に変更している。
【００５５】
ＩＥＥＥ  ８０２．３（ｃｌａｕｓｅ  ６４）にしたがって、ＯＮＵ接続時には最初にＤｉｓｃｏｖｅｒｙ段階（図１４のａ１〜ａ５の処理）を経てロジカルリンクが確立する（図１４のａ６）。
【００５６】
ロジカルリンク確立後、オペレータの操作（図１４のａ７）等、何らかのアクションをトリガにＩＥＥＥ  ８０２．３（ｃｌａｕｓｅ  ５７）で規定されるＯＡＭ（Ｏｐｅｒａｔｉｏｎ，Ａｄｍｉｎｉｓｔｒａｔｉｏｎ，ａｎｄ  Ｍａｉｎｔｅｎａｎｃｅ：保守監視機能）を使って、ＯＮＵへＶＰＩＤ変更を通知し（図１４のａ８）、再度Ｄｉｓｃｏｖｅｒｙすることで（図１４のａ９，ａ１０，ａ１１）、ロジカルリンクを再確立する（図１４のａ１２）。これによって、本実施例では、ＰＯＮドメインを動的に変更することができる。
【００５７】
このように、本実施例では、サービスの動的切替えを行うことができる。例えば、低優先サービス（ＰＯＮドメイン１）と高優先サービス（ＰＯＮドメイン２）とを用意し、ＰＯＮドメインの切替えによってサービス差別化を実現することが考えられる。この切替えは、新たな装置の配送等なしに、ＯＬＴの操作だけで実施することができるため、ユーザ単位のサービス差別化が容易になると考えられる。
【００５８】
尚、上記の各実施例では、ＥＰＯＮについて述べたが、ＥＰＯＮ以外の各種ＰＯＮにも適用可能である。
【図面の簡単な説明】
【００５９】
【図１】本発明の第１の実施例による通信システムのネットワーク構成を示すブロック図である。
【図２】（ａ）〜（ｄ）は図１に示すＯＮＵ１ａ〜１ｃ及びＯＬＴ３のＶＰＩＤテーブルの構成例を示す図である。
【図３】本発明の第１の実施例によるイーサネット（登録商標）フレームのＰｒｅａｍｂｌｅ／ＳＦＤ領域を示す図である。
【図４】図１のＯＬＴの処理動作を示すフローチャートである。
【図５】図１のＯＮＵの処理動作を示すフローチャートである。
【図６】図１のＯＮＵの処理動作を示すフローチャートである。
【図７】図１のＯＬＴの処理動作を示すフローチャートである。
【図８】本発明の第２の実施例によるＯＮＵのＶＰＩＤテーブルの構成例を示す図である。
【図９】本発明の第２の実施例によるＯＬＴの管理用テーブルの構成例を示す図である。
【図１０】本発明の第２の実施例の効果を説明するための図である。
【図１１】本発明の第２の実施例の効果を説明するための図である。
【図１２】本発明の第３の実施例によるＯＮＵのＶＰＩＤテーブルの構成例を示す図である。
【図１３】本発明の第３の実施例による通信システムの構成例を示す図である。
【図１４】本発明の第４の実施例による通信システムの動作を示すシーケンスチャートである。
【図１５】従来の通信システムのネットワーク構成を示すブロック図である。
【符号の説明】
【００６０】
１ａ〜１ｃ  ＯＮＵ
２  光カプラ
３  ＯＬＴ
１１ａ〜１１ｃ，３１，
３２  ＬＡＮポート
１２ａ〜１２ｃ，３３  ＰＯＮポート
１１１ａ，１１１ｂ  ＬＬＩＤ
Ａ  Ｐｒｅａｍｂｌｅ／ＳＦＤ領域
【図１】
2008227985.tif 000003
【図２】
2008227985.tif 000004
【図３】
2008227985.tif 000005
【図４】
2008227985.tif 000006
【図５】
2008227985.tif 000007
【図６】
2008227985.tif 000008
【図７】
2008227985.tif 000009
【図８】
2008227985.tif 000010
【図９】
2008227985.tif 000011
【図１０】
2008227985.tif 000012
【図１１】
2008227985.tif 000013
【図１２】
2008227985.tif 000014
【図１３】
2008227985.tif 000015
【図１４】
2008227985.tif 000016
【図１５】
2008227985.tif 000017